(57)【要約】【課題】  撮影の良否を自動で判定した後に、再確認できる放射線画像撮影システムを提供する。【解決手段】  被写体に向けて照射された放射線の強弱を読み取って放射線画像情報を取得する放射線画像検出装置と、画像を表示する画像表示装置とが通信可能に備えられた放射線画像撮影システムである。この放射線画像撮影システムには、被写体像が適正に検出されているかを判定する適否判定手段と、放射線画像情報に基づいて、画像表示装置に対して出力され放射線画像情報よりも情報量の少ない表示用画像情報を生成する表示用情報生成手段と、放射線画像情報を記憶する放射線画像記憶手段と、適否判定手段による判定結果及び表示用画像情報を画像表示装置に表示するように制御する表示制御手段とが備えられている。【選択図】図５
2006081735.tif 000002
【特許請求の範囲】
【請求項１】
被写体に向けて照射された放射線の強弱を読み取って放射線画像情報を取得する放射線画像検出装置と、画像を表示する画像表示装置とが通信可能に備えられた放射線画像撮影システムであって、
被写体像が適正に検出されているかを判定する適否判定手段と、
前記放射線画像情報に基づいて、前記画像表示装置に対して出力され前記放射線画像情報よりも情報量の少ない表示用画像情報を生成する表示用情報生成手段と、
前記放射線画像情報を記憶する放射線画像記憶手段と、
前記適否判定手段による判定結果及び前記表示用画像情報を前記画像表示装置に表示するように制御する表示制御手段とを備えることを特徴とする放射線画像撮影システム。
【請求項２】
請求項１記載の放射線画像撮影システムにおいて、
前記画像表示装置が、前記表示制御手段を備え、
前記放射線画像検出装置が、前記適否判定手段、前記表示用情報生成手段及び前記放射線画像記憶手段を備えることを特徴とする放射線画像撮影システム。
【請求項３】
請求項１記載の放射線画像撮影システムにおいて、
前記画像表示装置が、前記適否判定手段及び前記表示制御手段を備えるとともに、
前記放射線画像検出装置が、前記表示用情報生成手段及び前記放射線画像記憶手段を備えることを特徴とする放射線画像撮影システム。
【請求項４】
請求項１記載の放射線画像撮影システムにおいて、
前記放射線画像検出装置と通信可能で、放射線画像の画像処理を行う画像処理装置を備え、
前記画像表示装置が、前記表示制御手段を備え、
前記画像処理装置が、前記適否判定手段を備えるとともに、
前記放射線画像検出装置が、前記表示用情報生成手段及び前記放射線画像記憶手段を備えることを特徴とする放射線画像撮影システム。
【請求項５】
請求項１〜４のいずれか一項に記載の放射線画像撮影システムにおいて、
前記適否判定手段は、前記表示用画像情報に基づいて、被写体像が適正に検出されているか否かを判定することを徴とする放射線画像撮影システム。
【請求項６】
請求項１〜５のいずれか一項に記載の放射線画像撮影システムにおいて、
前記画像表示装置は、ユーザによる指示を入力する操作入力部と、
前記判定結果及び前記表示用画像情報が前記画像表示装置に表示された後に、前記操作入力部に入力された指示に基づいて、前記放射線画像情報を前記画像処理装置に出力するように前記前記放射線画像記憶手段に要請する出力要請手段とを備えることを特徴とする放射線画像撮影システム。
【請求項７】
請求項１〜６のいずれか一項に記載の放射線画像撮影システムにおいて、
前記画像表示装置と前記画像処理装置とが一体となって一装置が構成されていることを特徴とする放射線画像撮影システム。
【請求項８】
請求項１〜７のいずれか一項に記載の放射線画像撮影システムにおいて、
前記放射線画像検出装置は、無線信号により通信する通信部を備えることを特徴とする放射線画像撮影システム。
【請求項９】
請求項１〜８のいずれか一項に記載の放射線画像撮影システムにおいて、
前記放射線画像検出装置は、被写体に向けて照射された放射線を検出し、当該放射線を電気信号に変換して蓄積する平面状の放射線検出部を有し、当該放射線検出部に蓄積された電気信号を読み出して前記被写体の放射線画像情報を取得するフラットパネルディテクタ（ＦＰＤ）をカセッテに収納したカセッテ型ＦＰＤであることを特徴とする放射線画像撮影システム。
【発明の詳細な説明】
【技術分野】
【０００１】
本発明は、放射線画像撮影システムに係り、特に、Ｘ線画像に代表される放射線画像を撮影する放射線画像撮影システムに関する。
【背景技術】
【０００２】
従来より、医療診断にあっては、被写体にＸ線等の放射線を照射し、当該被写体を透過した放射線の強度分布を検出して得られた放射線画像が広く利用されており、近年では、撮影に際し放射線を検出して電気信号に変換し、放射線画像情報として蓄積するＦＰＤ（Flat Panel Detector）を用いた放射線画像撮影システムが提案されている。
【０００３】
この放射線画像撮影システムにあっては、システム構成の自由度を向上させる上で、撮影室に配設されたＦＰＤを所定の通信回線を介して画像処理を行うためのＰＣ（Personal Computer）等の所定の画像処理装置と接続して使用するように構成されたものが知られている（例えば、特許文献１参照）。
また、ＦＰＤの運搬性・取扱い性の向上を目的として当該ＦＰＤをカセッテに収容したカセッテ型ＦＰＤも開発されている（例えば、特許文献２参照）。さらに、カセッテ型ＦＰＤと画像処理装置とが無線方式により放射線画像情報等の各種情報を通信可能にシステム構成されたものも提案されている（例えば、特許文献３参照）。
【０００４】
ここで、ＦＰＤと画像処理装置とをシステム専用の通信回線を介して接続する構成とすると、システム構成の自由度が低くなってしまうため、ＦＰＤと画像処理装置とをイーサネット（Ethernet；登録商標）等の既存のネットワークを介して接続するシステムの構築が考えられるが、この場合、放射線画像情報の通信に時間がかかり、撮影状態の確認を撮影後即座に行うことが困難となる。これを解消すべく、上記特許文献１におけるＦＰＤと画像処理装置とにおいては、予めＦＰＤによって、放射線画像情報よりも情報量の少ない縮小画像情報を作成した後、作成された縮小画像情報を画像処理装置に送信して、画像表示装置に縮小画像を表示するシステム構成のものが提案されている。
【０００５】
ところで、撮影状態によっては再撮影を行う必要があるために、撮影者は画像表示装置に表示された画像を視認し、再撮影が必要であるか否かを判定するが、上述したように画像表示装置に縮小画像が表示されていると通常サイズの画像を視認する場合よりも撮影者にかかる負担が大きくなってしまう。この負担を低減すべく、放射線画像情報の信号値の頻度分布であるヒストグラムの解析結果から撮影の良否を判定して、撮影が不良であると判定された場合には、その判定結果だけを表示部に表示したり、あるいは光や音で撮影者に判定結果を報知するＦＰＤが提案されている（例えば、特許文献４参照）。
【特許文献１】特開２００３−１９９７３６号公報
【特許文献２】特開平６−３４２０９９号公報
【特許文献３】特開２００３−２１０４４４号公報
【特許文献４】特開２００３−１７２７８３号公報
【発明の開示】
【発明が解決しようとする課題】
【０００６】
ところが、特許文献４に記載されるＦＰＤでは、撮影の良否が機械的に判定されてしまうために、その判定結果だけが表示、報知されてしまうと、不適と判定された縮小画像を再確認することができない。特に、放射線画像撮影においては、患者に対する被爆量を抑えるために撮影回数を極力少なくするのが好ましいが、撮影の良否が機械的に判定されてしまうと、判定基準から僅かに外れているものの視認による診察は可能である画像であっても、再撮影が要求されてしまい、患者に無駄な負担がかかってしまう。このようなことから、自動で判定された後であっても撮影者によって再確認できるシステムが望まれている。
【０００７】
本発明の課題は、撮影の良否を自動で判定した後に、再確認できる放射線画像撮影システムを提供することである。
【課題を解決するための手段】
【０００８】
請求項１記載の発明は、
被写体に向けて照射された放射線の強弱を読み取って放射線画像情報を取得する放射線画像検出装置と、画像を表示する画像表示装置とが通信可能に備えられた放射線画像撮影システムであって、
被写体像が適正に検出されているかを判定する適否判定手段と、
前記放射線画像情報に基づいて、前記画像表示装置に対して出力され前記放射線画像情報よりも情報量の少ない表示用画像情報を生成する表示用情報生成手段と、
前記放射線画像情報を記憶する放射線画像記憶手段と、
前記適否判定手段による判定結果及び前記表示用画像情報を前記画像表示装置に表示するように制御する表示制御手段とを備えることを特徴としている。
【０００９】
請求項１記載の発明によれば、被写体像が適正に検出されているか否かが適否判定手段によって判定された後に、その判定結果と表示用画像情報とが画像表示装置に表示されるので、自動で撮影の良否が判定された後であっても、撮影者は表示用画像情報を再確認することができる。再確認時においては判定結果を参考できるために確認動作による撮影者の負担も抑制することが可能である。
【００１０】
請求項２記載の発明は、請求項１記載の放射線画像撮影システムにおいて、
前記画像表示装置が、前記表示制御手段を備え、
前記放射線画像検出装置が、前記適否判定手段、前記表示用情報生成手段及び前記放射線画像記憶手段を備えることを特徴としている。
【００１１】
請求項２記載の発明によれば、画像表示装置が表示制御手段を備え、放射線画像検出装置が、適否判定手段、表示用情報生成手段及び放射線画像記憶手段を備える場合においても、請求項１記載の発明と同等の作用、効果を得ることができる。
【００１２】
請求項３記載の発明は、請求項１記載の放射線画像撮影システムにおいて、
前記画像表示装置が、前記適否判定手段及び前記表示制御手段を備えるとともに、
前記放射線画像検出装置が、前記表示用情報生成手段及び前記放射線画像記憶手段を備えることを特徴としている。
【００１３】
請求項３記載の発明によれば、画像表示装置が適否判定手段及び表示制御手段を備えるとともに、放射線画像検出装置が表示用情報生成手段及び放射線画像記憶手段を備える場合においても、請求項１記載の発明と同等の作用、効果を得ることができる。
【００１４】
請求項４記載の発明は、請求項１記載の放射線画像撮影システムにおいて、
前記放射線画像検出装置と通信可能で、放射線画像の画像処理を行う画像処理装置を備え、
前記画像表示装置が、前記表示制御手段を備え、
前記画像処理装置が、前記適否判定手段を備えるとともに、
前記放射線画像検出装置が、前記表示用情報生成手段及び前記放射線画像記憶手段を備えることを特徴としている。
【００１５】
請求項４記載の発明によれば、画像表示装置が表示制御手段を備え、画像処理装置が適否判定手段を備えるとともに、放射線画像検出装置が表示用情報生成手段及び放射線画像記憶手段を備える場合においても、請求項１記載の発明と同等の作用、効果を得ることができる。
【００１６】
請求項５記載の発明は、請求項１〜４のいずれか一項に記載の放射線画像撮影システムにおいて、
前記適否判定手段は、前記表示用画像情報に基づいて、被写体像が適正に検出されているか否かを判定することを特徴としている。
【００１７】
請求項５記載の発明によれば、被写体像が適正に検出されているか否かは、表示用画像情報に基づいて判定されているので、放射線画像情報に基づいて判定した場合よりも判定にかかる処理効率を向上させることができる。
【００１８】
請求項６記載の発明は、請求項１〜５のいずれか一項に記載の放射線画像撮影システムにおいて、
前記画像表示装置は、ユーザによる指示を入力する操作入力部と、
前記判定結果及び前記表示用画像情報が前記画像表示装置に表示された後に、前記操作入力部に入力された指示に基づいて、前記放射線画像情報を前記画像処理装置に出力するように前記前記放射線画像記憶手段に要請する出力要請手段とを備えることを特徴としている。
【００１９】
請求項６記載の発明によれば、判定結果及び表示用画像情報が画像表示装置に表示されると、撮影者はその表示内容を基にして、当該放射線画像情報を画像処理装置に出力するか否かを判断することができる。これにより、判定基準から僅かながら外れて適否判定手段によって「不適」と判定された画像であっても、撮影者の判断によっては診断可能と判断されることもあるために、再撮影の回数を抑制することができる。
【００２０】
請求項７記載の発明は、請求項１〜６のいずれか一項に記載の放射線画像撮影システムにおいて、
前記画像表示装置と前記画像処理装置とが一体となって一装置が構成されていることを特徴としている。
【００２１】
請求項７記載の発明によれば、画像表示装置と画像処理装置とが一体になって一装置が構成されているので、システム構成を簡略化することができる。
【００２２】
請求項８記載の発明は、請求項１〜７のいずれか一項に記載の放射線画像撮影システムにおいて、
前記放射線画像検出装置は、無線信号により通信する通信部を備えることを特徴としている。
【００２３】
請求項８記載の発明によれば、放射線画像検出装置の持ち運びが容易になったり、一つのコンソールにより複数の放射線画像検出装置を操作するのが容易になる等、システム構成上の自由度が高くなる。
【００２４】
請求項９記載の発明は、請求項１〜８のいずれか一項に記載の放射線画像撮影システムにおいて、
前記放射線画像検出装置は、被写体に向けて照射された放射線を検出し、当該放射線を電気信号に変換して蓄積する平面状の放射線検出部を有し、当該放射線検出部に蓄積された電気信号を読み出して前記被写体の放射線画像情報を取得するフラットパネルディテクタ（ＦＰＤ）をカセッテに収納したカセッテ型ＦＰＤであることを特徴としている。
【００２５】
請求項９記載の発明によれば、ＦＰＤがカセッテに収納されているため、持ち運びに便利である。
【発明の効果】
【００２６】
本発明によれば、被写体像が適正に検出されているか否かが適否判定手段によって判定された後に、その判定結果と表示用画像情報とが画像表示装置に表示されるので、自動で撮影の良否が判定された後であっても、撮影者は表示用画像情報を再確認することができる。再確認時においては判定結果を参考できるために確認動作による撮影者の負担も抑制することが可能である。
【発明を実施するための最良の形態】
【００２７】
以下、図面を参照して本発明の実施の形態を詳細に説明する。ただし、発明の範囲は、図示例に限定されない。図１は、本発明を適用した実施形態として例示する放射線画像撮影システムの概略構成を示す図である。
本実施形態による放射線画像撮影システム１は、図１に示すように、放射線画像撮影に関する情報を管理するサーバ２と、放射線画像撮影に関する操作を行う撮影操作装置４と、例えば無線ＬＡＮ（Local Area Network）等の無線通信方式による通信を行うための基地局５と、放射線画像検出装置６を操作するとともに放射線画像検出装置６により検出された放射線画像の画像処理を行うコンソール７とがネットワーク８を通じて接続されている。撮影操作装置４にはケーブル４１を介して、被写体に放射線を照射して放射線画像の撮影を行う放射線画像撮影装置３が接続されている。ここで、ネットワーク８は、当該システム専用の通信回線であっても良いが、システム構成の自由度が低くなってしまう等の理由のため、イーサネット（Ethernet；登録商標）等の既存の回線である方が好ましい。
【００２８】
サーバ２は、コンピュータで構成されており、サーバ２には、サーバ２を構成する各部を制御する制御部、各種情報やユーザの指示を入力する操作入力部、及び、各種情報を記憶する外部記憶装置等が設けられている（いずれも図示しない）。
【００２９】
制御部は、操作入力部から入力された患者情報と撮影部位（被撮影者の身体上の撮影する部分）等の撮影情報とをそれぞれ対応付けた状態で、外部記憶装置に記憶させるようになっている。
【００３０】
放射線画像撮影装置３は、寝台１２に載置された被写体である患者１１に対して照射線を照射するようになっており、寝台１２の下方には、放射線の強弱を読み取って放射線画像を検出する放射線画像検出装置６を装着する検出装置装着口（図示しない）が設けられている。放射線画像撮影装置３は、撮影操作装置４により制御されて所定の撮影条件で放射線画像の撮影を行うようになっている。
【００３１】
コンソール７は、図２に示すように、制御部１４、ＲＡＭ１５、ＲＯＭ１６、表示部１７、操作入力部１８、通信部１９、電源部２０等を備えるコンピュータで構成されており、各部はバスＢより接続されている。なお、コンソール７は、画像表示装置と画像処理装置とを一体的に構成した装置である。
【００３２】
表示部１７は、例えば、ＣＲＴ（Cathode Ray Tube）やＬＣＤ（Liquid Crystal Display）等を備えて構成され、制御部１４から出力され入力される表示信号の指示に従って、各種画面を表示するようになっている。
【００３３】
操作入力部１８は、例えば、キーボードやマウス等から構成されており、キーボードで押下操作されたキーの押下信号やマウスによる操作信号を入力信号として制御部１４に対して出力するようになっている。特に、本実施形態に係る放射線画像撮影システム１においては、操作入力部１８は、所定操作に基づいて放射線画像検出装置６により検出された放射線画像の放射線画像情報の転送指示に係る信号を制御部１４に対して出力するようになっている。また、後述の放射線画像検出装置６の画像メモリ２５に記憶されている放射線画像情報の消去指示に係る信号を制御部１４に対して出力するようになっている。
【００３４】
通信部１９は、無線ＬＡＮ等の無線通信方式により、基地局５を介して、放射線画像検出装置６との間で各種情報の通信を行うものである。
【００３５】
制御部１４は、例えば、ＣＰＵ等から構成され、ＲＯＭ１６に格納される所定のプログラムを読み出してＲＡＭ１５の作業領域に展開し、当該プログラムに従って各種処理を実行する。特に、本実施形態においては、制御部１４は、表示制御手段、適否判定手段及び出力要請手段としての機能を有する。
【００３６】
制御部１４は、操作対象である放射線画像検出装置を用いて撮影することが予定されている患者情報及び撮影情報をネットワーク８を通じてサーバ２より受信するようになっている。
【００３７】
また、制御部１４は、適否判定手段として、被写体像が適正位置に検出されているか、また、適正な放射線量により検出されているかを、放射線画像検出装置６から入力された縮小画像情報により判定するようになっている。
【００３８】
具体的には、制御部１４は、撮影情報内の撮影部位情報に係る撮影について照射野が存在するか否かを判定するようになっている。一般に、撮影部位の特性から標準的な照射野が定まるものであるため、この標準的な照射野と使用する放射線画像検出装置６の大きさとの関係で、当該撮影部位について照射野が存在するか否かが判定される。
【００３９】
照射野が存在する場合においては、制御部１４は、入力された縮小画像情報に基づく放射線画像から照射野に相当する部分を認定し、認定された照射野に相当する部分が、はみ出ることなく放射線画像中に収まっているか否かを判定するようになっている。そして、照射野に相当する部分が放射線画像中に収まっていれば、被写体に向けて照射され被写体を透過した放射線が全て放射線画像検出装置６により検出され、被写体像全体が得られていると考えられることから、被写体像が適正位置に検出されていると判定し、収まっていなければ被写体画像が適正位置に検出されていないと判定するようになっている。
【００４０】
ここで、放射線画像における照射野の認定方法としては、例えば、以下のような方法を適用することができる。すなわち、撮像面上の所定の位置から撮像面の端部側に向かう線分上の縮小画像情報を用いて微分処理を行う。この微分処理によって得られた微分信号は、照射野エッジ部で信号レベルが大きくなるため、微分信号の信号レベルを判別して１つの照射野エッジ候補点が求められる。この照射野エッジ候補点を求める処理を、撮像面上の所定の位置を中心として放射状に行うことにより複数の照射野エッジ候補点が求められる。このようにして得られた複数の照射野エッジ候補点を直線あるいは曲線で結ぶことにより得られた照射野エッジ部を放射線画像における照射野として認定する。
【００４１】
そして、以上のような方法で得られた照射野エッジ部が、放射線画像の端部において途切れている場合には、照射野が放射線画像中に収まっていないと判断し、照射野エッジ部が途切れている箇所がない場合には、照射野が放射線画像中に収まっていると判断するとよい。
【００４２】
一方、照射野が存在しない場合には、制御部１４は、撮影部位毎に定められる特定領域を認定し、認定された特定領域の前記放射線画像における位置に基づいて、被写体像が適正位置に検出されているかを判定するようになっている。
【００４３】
具体的には、ＲＯＭ１６には、撮影部位毎に定められる特定領域に関するプロファイル及び当該特定領域の適正位置情報が記憶されている。プロファイルとは、当該撮影部位における特定領域（例えば、撮影部位が「胸部」である場合の「肺」等）の標準的な画像について、任意の線分上の画素値の変化を、横軸に線分上の位置、縦軸に画素値を取ることにより表したものであり、水平方向及び垂直方向にそれぞれ水平プロファイル及び垂直プロファイルとして作成されるものである。また、適正位置情報とは、当該撮影部位の形状、及び、特定領域の撮影部位に占める位置等を勘案して、特定領域がこの範囲に存在すれば、当該撮影部位全体が放射線画像に含まれるとされる当該範囲に関する情報である。
【００４４】
制御部１４は、撮影部位情報に係る撮影部位に対応するプロファイルを取得し、当該プロファイルの水平プロファイル及び垂直プロファイルを検出された放射線画像の水平方向及び垂直方向にそれぞれ走査して、その極小値、極大値、変曲点、閾値との交点等を求め、これらに基づいて当該放射線画像における特定領域を認定するようになっている。そして、撮影部位情報に係る撮影部位に対応する特定領域の適正位置情報を取得し、この適正位置情報に示される所定の範囲に認定した特定領域が含まれている場合には、被写体像が適正位置に検出されていると判定し、所定の範囲に特定領域が含まれていない場合には、被写体像が適正位置に検出されていないと判定するようになっている。
【００４５】
さらに、制御部１４は、撮影部位毎の基準ヒストグラムと縮小画像情報に基づく放射線画像を解析することにより得られたヒストグラムとのずれから、被写体像が適正な放射線量により検出されているかを判定するようになっている。
【００４６】
具体的には、ＲＯＭ１６には、各撮影部位毎についての基準画像の基準ヒストグラムにおける基準信号レンジＡ0及び基準中央信号値Ｓｃ0が記憶されているとともに、基準信号レンジＡ0及び基準中央信号値Ｓｃ0との差の許容範囲を示した適正範囲情報が記憶されている。
【００４７】
ここで、信号レンジＡ及び中央信号値Ｓｃの算出方法について、図４を参照して説明する。図４は、横軸に画像信号レベル（濃度、放射線透過率に対応する）、縦軸に信号レベルに対応する頻度がとられたヒストグラムであり、放射線が被写体を透過した被写体透過部の放射線量について各信号値の頻度が示され、最高信号レベル位置に、放射線が被写体を透過しなかった素抜け部の放射線量に相当する一つの極大部分が現れる。
【００４８】
ヒストグラムの形状に基づいて素抜け部と被写体透過部とを区別し、被写体透過部の最小信号値Ｓｍｉｎから最大信号値Ｓｍａｘまでの幅を信号レンジＡして求め、該信号レンジＡの中央に位置する中央信号値Ｓｃ（Ｓｃ−Ｓｍｉｎ＝Ｓｍａｘ−Ｓｃ）を算出する。被写体透過部と素抜け部との区別は、例えば、ヒストグラムを高画像信号レベル側から走査して最初の頻度の山を越えた後頻度が所定の閾値以下になったところを素抜け部と被写体透過部との境界とすることにより行うことができる。また、信号レンジＡは、例えば、ヒストグラムを低画像信号レベル側から走査して頻度が最初に所定の閾値を超えた点をＳｍｉｎとし、素抜け部と被写体透過部との境界をＳｍａｘとすることにより算出可能である。
【００４９】
ヒストグラムは、各撮影部位の特性に応じて標準的な信号レベルの分布が定まっているため、各撮影部位毎に、ノイズが少なく最適な画像のヒストグラムを基準ヒストグラムとして作成し、作成した基準ヒストグラムから上記方法により信号レンジＡ及び中央信号値Ｓｃを算出し、それぞれ基準信号レンジＡ0、基準中央信号値Ｓｃ0としてＲＯＭ１６に記憶させる。
【００５０】
被写体に照射された放射線量が最適量よりも少ない場合には、ヒストグラムにおける信号レベルの分布は、図４において左側にずれる。基準ヒストグラムとノイズが診断に影響を及ぼさないように撮影された放射線画像のヒストグラムとの左側へのずれを許容される最大のずれとして、このヒストグラムにおける信号レンジＡ1及び中央信号値Ｓｃ1を予め求め、基準信号レンジＡ0及び基準中央信号値Ｓｃ0と信号レンジＡ1及び中央信号値Ｓｃ1との差を、適正範囲として定め、適正範囲情報としてＲＯＭ１６に記憶させる。
【００５１】
そして、制御部１４は、照射野が存在する場合においては、検出された放射線画像から照射野に相当する部分を認定し、認定された照射野に相当する部分について、統計解析であるヒストグラム解析を行い、照射野が存在しない場合には、検出された放射線画像全体についてヒストグラム解析を行って、ヒストグラムを作成するようになっている。
【００５２】
制御部１４は、作成したヒストグラムに基づいて、上記方法により信号レンジＡ及び中央信号値Ｓｃを算出するとともに、コンソール７から受信した撮影部位情報に示される撮影部位に対応する基準信号レンジＡ0及び基準中央信号値Ｓｃ0並びに適正範囲情報を取得して、基準信号レンジＡ0及び基準中央信号値Ｓｃ0と信号レンジＡ及び中央信号値Ｓｃとの差が適正範囲情報に示される範囲内であるかを判定するようになっている。
【００５３】
そして、制御部１４は、基準信号レンジＡ0と信号レンジＡとの差及び基準中央信号値Ｓｃ0と中央信号値Ｓｃとの差の双方が適正範囲内に入っていれば、放射線画像が適正な放射線量により検出されていると判定し、いずれか一方でも適正範囲に入っていなければ、放射線画像が適正な放射線量により検出されていないと判定するようになっている。
そして、制御部１４は、表示部１７を制御して、上記判定結果及び表示用画像情報を表示させるようになっている。
【００５４】
さらに、制御部１４は、出力要請手段として、前記操作入力部１８からの放射線画像情報の転送指示に係る信号に基づいて、放射線画像検出装置６に放射線画像情報の転送を行わせるようになっている。また、制御部１４は、前記操作入力部１８からの放射線画像情報の消去指示に係る信号に基づいて、放射線画像検出装置６に放射線画像情報の消去を行わせるようになっている。
また、制御部１４は、放射線画像検出装置６から放射線画像情報を受信し、受け取った放射線画像情報についてＡ／Ｄ変換、正規化処理および階調処理等の画像処理を行うようになっている。
【００５５】
放射線画像検出装置６は、例えば、カセッテにフラットパネルディテクタ（ＦＰＤ）が収容されてなるカセッテ型ＦＰＤであり、放射線画像検出装置６は、図３に示すように、制御部２１、ＲＡＭ２２、ＲＯＭ２３、放射線検出部である平面検出器２４、放射線画像記憶手段である画像メモリ２５、通信部２６、電源部２７、操作入力部２８等を備えて構成されており、各部はバスＣにより接続されている。
【００５６】
平面検出器２４は、例えば、ガラス基板等を有しており、基板上の所定位置には、放射線源９から照射されて少なくとも被写体を透過した放射線をその強度に応じて検出し、検出した放射線を電気信号に変換して蓄積する複数の画素がマトリックス状に配列されている。
【００５７】
ここで、平面検出器２４としては、図示は省略するが、例えば、放射線を蛍光（光）に変換する放射線光変換層と、放射線光変換層により変換された蛍光を検出して電気信号に変換する光電変換層とを備える間接型のもの、また、放射線光変換層及び光電変換層に替えて、放射線を直接電気信号に変換する放射線受部を有する放射線電気信号変換層を備える直接型のもの等が挙げられる。
【００５８】
画像メモリ２５は、例えばフラッシュメモリ等の不揮発性メモリから構成され、平面検出器２４に蓄積された電気信号が読み取られることにより取得された放射線画像の放射線画像情報を記憶するようになっている。
【００５９】
通信部２６は、無線ＬＡＮ等の無線通信方式により、基地局５を介して、コンソール７との間で各種情報の通信を行うものである。
【００６０】
電源部２７は、放射線画像検出装置６を構成する各部に電源を供給する充電池３０を有し、当該放射線画像検出装置６の所定位置に設けられた充電用端子（図示略）を介して充電可能に構成されている。
【００６１】
制御部２１は、例えばＣＰＵ（Central Processing Unit）等から構成され、ＲＯＭ２３に格納される所定のプログラムを読み出してＲＡＭ２２の作業領域に展開し、当該プログラムに従って各種処理を実行する。特に、本実施形態においては、制御部２１は、表示用情報生成手段としての機能を備えるものである。
【００６２】
具体的には、例えば、制御部２１は、平面検出器２４の各画素を構成する例えばＴＦＴ（Thin Film Transistor）等のスイッチング部を制御して、当該各画素に蓄積された電気信号の読み取りをスイッチングしていき、平面検出器２４に蓄積された全ての電気信号を読み取ることにより、平面検出器２４から放射線画像の放射線画像情報を取得するようになっている。
【００６３】
そして、制御部２１は、表示用情報生成手段として、表示用情報生成プログラムに従って、取得した放射線画像情報に基づいて、出力される表示用画像情報を生成する。具体的には、制御部２１は、表示用画像情報として、放射線画像情報よりも情報量の少ない縮小画像情報を生成するようになっている。この縮小画像の縮小率は、例えば、原画像に対して各辺の長さが１／２〜１／１００倍となる程度（画素数が１／４〜１／１００００倍となる程度）が好ましく、１／４〜１／２５００倍となる程度がより好ましい。ここで、生成された縮小画像情報は、コンソール７に出力されることになる。
また、制御部２１は、コンソール７からの要求に応じて、画像メモリ２５に記憶されている放射線画像の放射線画像情報をコンソール７に対して出力するようになっている。
【００６４】
次に、放射線画像撮影システム１における放射線画像の撮影処理について、図５を参照して説明する。ここで、図５は、放射線画像撮影システム１による撮影処理に係る動作の一例を示すフローチャートである。
【００６５】
先ず、放射線撮影室内において、放射線画像撮影装置３によって被写体に放射線を照射し、放射線画像検出装置６を用いて被写体の放射線撮影を行う（ステップＳ１）。
具体的には、サーバ２は、撮影操作装置４に対して患者情報や撮影情報を送信する。すると、撮影操作装置４は、受信した撮影情報に含まれる管電圧値、線量及び照射野絞り値に基づいて、放射線画像撮影装置３の放射線源、フォトタイマ及び絞り装置を制御し、放射線画像撮影装置３は、これらの条件下で放射線を患者１１に対して照射する。
このとき、寝台１２の下方に装着されている放射線画像検出装置６の平面検出器２４にて被写体を透過した放射線を検出して、電気信号に変換して当該平面検出器２４の各画素に蓄積する。
【００６６】
次に、放射線画像検出装置６の制御部２１は、平面検出器２４から被写体の放射線画像情報を取得する（ステップＳ２）。具体的には、制御部２１は、平面検出器２４の各画素のスイッチング部を制御して、当該各画素に蓄積された電気信号の読み取りをスイッチングしていき、平面検出器２４に蓄積された全ての電気信号を読み取る。
その後、制御部２１は、取得した放射線画像情報を画像メモリ２５に記憶させる（ステップＳ３）。
【００６７】
次に、制御部２１は、コンソール７に対して出力される表示用画像として、放射線画像情報よりも情報量の少ない縮小画像情報を、取得した放射線画像情報に基づいて生成する（ステップＳ４）。この際、制御部は縮小画像情報に対して所定の画像補正を施している。なお、上記の縮小画像情報の生成及び補正は、当該放射線画像検出装置６による放射線画像情報の取得毎に行われるようになっている。
次に、制御部２１は、通信部２６を制御して、生成された縮小画像情報をコンソール７に対して送信させる（ステップＳ５）。
【００６８】
コンソール７では、放射線画像検出装置６の通信部２６から送信された縮小画像情報を、通信部１９を介して受信すると、当該コンソール７の制御部１４は、受信した縮小画像情報を基に、被写体像が適正位置に検出されているか、また、適正な放射線量により検出されているかを判定する（ステップＳ６）。
判定後、制御部１４は、当該判定結果と縮小画像情報とを対応させて表示部１７に表示させる（ステップＳ７）。図６は、表示内容の一例を示す説明図である。表示画面５０には、縮小画像情報に基づいた画像が表示される縮小画像部５１と、縮小画像部５１の下方で判定結果が表示される判定結果部５２とが設けられている。また、図６における縮小画像部５１の右方には、画像転送ボタン５３、削除ボタン５４が配列されている。
【００６９】
縮小画像情報と判定結果とが表示部１７に表示されると、撮影者は、判定結果を参照しながら縮小画像情報を視認することで、当該画像による診断が可能であるか否かを再確認する。撮影者は、再確認により診断可能と判断した場合には操作入力部１８を操作して画面上の画像転送ボタン５３を選択し、再確認により診断不可と判断した場合には操作入力部１８を操作して画面上の削除ボタン５４を選択する（ステップＳ８）。これにより、制御部１４は、画像転送ボタン５３が選択された場合には、出力要請があったとみなして、放射線画像検出装置６に放射線画像情報の転送を行わせる（ステップＳ９）。
コンソール７に放射線画像情報が入力されると、制御部１４は放射線画像情報に対して画像処理を施す（ステップＳ１０）。
【００７０】
一方、ステップＳ８において削除ボタン５４が選択された場合には、制御部１４は消去指示があったとみなして、放射線画像検出装置６に放射線画像情報の消去を行わせる（ステップＳ１１）。その後、制御部１４は、再撮影の通知を表示部１７に表示させ（ステップＳ１２）、ステップＳ１に移行する。
【００７１】
以上のように、本実施形態の放射線画像撮影システム１によれば、被写体像が適正に検出されているか否かがコンソール７の制御部１４によって判定された後に、その判定結果と縮小画像情報とが表示部１７に表示されるので、自動で撮影の良否が判定された後であっても、撮影者は縮小画像情報を再確認することができる。再確認時においては判定結果を参考できるために確認動作による撮影者の負担も抑制することが可能である。
そして、撮影者は再確認によって、当該放射線画像情報を放射線画像検出装置６からコンソール７に出力するか否かを判断すると、判定基準から僅かながら外れて制御部１４によって「不適」と判定された画像であっても、撮影者の判断によっては診断可能と判断されることもあるために、再撮影の回数を抑制することができる。
【００７２】
また、本実施形態では、被写体像が適正に検出されているか否かは、縮小画像情報に基づいて判定されているので、放射線画像情報に基づいて判定した場合よりも判定にかかる処理効率を向上させることができる。
さらに、本実施形態では、本発明に係る画像表示装置と画像処理装置とが一体になったコンソール７が用いられているので、システム構成を簡略化することができる。
そして、本実施形態では、放射線画像検出装置６には、無線信号により通信する通信部１９が備えられているので、放射線画像検出装置６の持ち運びが容易になったり、一つのコンソール７により複数の放射線画像検出装置６を操作するのが容易になる等、システム構成上の自由度が高くなる。
【００７３】
なお、本発明は上記実施形態に限らず適宜変更可能であるのは勿論である。
例えば、本実施形態では、放射線画像検出装置６として、コンソール７等と無線通信方式により各種情報の通信を行う構成のものを例示したが、これに限られるものではなく、コンソール７等と所定のケーブルを用いて接続し、これら各装置と通信を行うような構成のものであってもよい。
また、本実施形態では、本発明に係る適否判定手段がコンソール７の制御部１４である場合を例示して説明したが、放射線画像検出装置６の制御部２１を適否判定手段としてもよい。さらに、本実施形態では、本発明に係る画像表示装置と画像処理装置とがコンソール７で一体化された場合を例示して説明したが、画像表示装置と画像処理装置とがそれぞれ別体であっても構わない。このように別体にした場合には、画像処理装置の制御部を適否判定手段としてもよい。
【００７４】
そして、本実施形態では、縮小画像情報と判定結果とがコンソール７の表示部１７に対応付けて表示されるようになっているが、コンソール７に音声出力部を設ければ、当該音声出力部によって判定結果を音声で通知することも可能である。
さらに、本実施形態では、放射線画像検出装置６、コンソール７に係る機能は、集積回路からなる中央処理装置（ＣＰＵ）によって、所定のプログラム等が実行されることにより実現される構成としたが、これに限られるものではなく、例えば、各種機能を実現するためのロジック回路から構成されてもよい。
【図面の簡単な説明】
【００７５】
【図１】本発明を適用した実施形態として例示する放射線画像撮影システムの概略構成を示す図である。
【図２】図１の放射線画像撮影システムを構成するコンソールの要部構成を示すブロック図である。
【図３】図１の放射線画像撮影システムを構成する放射線画像検出装置の要部構成を示すブロック図である。
【図４】横軸に画像信号レベル、縦軸に信号レベルに対応する頻度がとられたヒストグラムである。
【図５】図１の放射線画像撮影システムによる撮影処理に係る動作の一例を示すフローチャートである。
【図６】図２のコンソールの表示部に常時される表示内容の一例を示す説明図である。
【符号の説明】
【００７６】
１      放射線画像撮影システム
６      放射線画像検出装置
７      コンソール（画像表示装置、画像処理装置）
１４      制御部（表示制御手段、適否判定手段、出力要請手段）
１８      操作入力部
２１      制御部（表示用情報生成手段）
２５      画像メモリ（画像情報記憶手段）
２６      通信部
【図１】
2006081735.tif 000003
【図２】
2006081735.tif 000004
【図３】
2006081735.tif 000005
【図４】
2006081735.tif 000006
【図５】
2006081735.tif 000007
【図６】
2006081735.tif 000008